(57)【要約】      （修正有）【課題】吸気温度が低い場合でも、再生に必要な排気温度が得られるディーゼルエンジンの排気処理装置を提供する。【解決手段】吸気通路６に吸気温度センサ３とエンジンで駆動するエアコンプレッサ７とを配置し、吸気温度センサ３は制御手段１１を介してエアコンプレッサ７に連携させ、ＤＰＦ再生処理に当たり、吸気温度が所定温度よりも低い吸気昇温要求温度領域に入っている場合には、これを吸気温度センサ３で検出したことに基づいて、制御手段１１がエアコンプレッサ７を駆動させ、エンジンの負荷を増加させるとともに、エアコンプレッサ７で加圧昇温させた吸気１２を燃焼室１４に供給する。【選択図】図１
2011069278.tif 000002
【特許請求の範囲】
【請求項１】
排気通路(１)にＤＰＦ(２７)を配置し、ＤＰＦ(２７)で排気(２)中のＰＭを捕捉し、ＤＰＦ(２７)に堆積したＰＭのＰＭ堆積推定値が所定のＤＰＦ再生要求値に至った場合には、制御手段(１１)がＤＰＦ再生手段(８)にＤＰＦ再生処理を開始させることにより、ＤＰＦ(２７)上流の排気(２)を昇温させ、この排気(２)の熱でＤＰＦ(２７)に堆積したＰＭを燃焼除去できるようにした、ディーゼルエンジンの排気処理装置において、
吸気通路(６)に吸気温度センサ(３)とエンジンで駆動するエアコンプレッサ(７)とを配置し、吸気温度センサ(３)は制御手段(１１)を介してエアコンプレッサ(７)に連携させ、
ＤＰＦ再生処理に当たり、
吸気温度が所定温度よりも低い吸気昇温要求温度領域に入っている場合には、これを吸気温度センサ(３)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにした、ことを特徴とするディーゼルエンジンの排気処理装置。
【請求項２】
排気通路(１)にＤＰＦ(２７)を配置し、ＤＰＦ(２７)で排気(２)中のＰＭを捕捉し、ＤＰＦ(２７)に堆積したＰＭのＰＭ堆積推定値が所定のＤＰＦ再生要求値に至った場合には、制御手段(１１)がＤＰＦ再生手段(８)にＤＰＦ再生処理を開始させることにより、ＤＰＦ(２７)上流の排気(２)を昇温させ、この排気(２)の熱でＤＰＦ(２７)に堆積したＰＭを燃焼除去できるようにした、ディーゼルエンジンの排気処理装置において、
ＤＰＦ(２７)の上流で排気通路(１)に排気温度センサ(２８)を配置し、
ＤＰＦ再生処理に当たり、
ＤＰＦ(２７)の上流の排気温度が所定温度よりも低い排気昇温要求温度領域に入っている場合には、これを排気温度センサ(２８)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにした、ことを特徴とするディーゼルエンジンの排気処理装置。
【発明の詳細な説明】
【技術分野】
【０００１】
本発明は、ディーゼルエンジンの排気処理装置に関し、詳しくは、吸気温度が低い場合でも、再生に必要な排気温度が得られるディーゼルエンジンの排気処理装置に関する。この明細書と特許請求の範囲の用語中、ＤＰＦはディーゼル・パティキュレート・フィルタ、ＤＯＣはディーゼル酸化触媒、ＰＭは排気中の粒子状物質の略称である。
【背景技術】
【０００２】
従来、ディーゼルエンジンの排気処理装置として、排気通路にＤＰＦを配置し、ＤＰＦで排気中のＰＭを捕捉し、ＤＰＦに堆積したＰＭのＰＭ堆積推定値が所定のＰＭ再生要求値に至った場合には、制御手段がＤＰＦ再生手段にＤＰＦ再生処理を開始させることにより、ＤＰＦ上流の排気を昇温させ、この排気の熱でＤＰＦに堆積したＰＭを燃焼除去できるようにしたものがある(特許文献１の図１参照)。
【０００３】
この種のディーゼルエンジンの排気処理装置によれば、排気の熱によりＤＰＦの再生を図ることができる利点がある。
しかし、この従来技術は、吸気温度を昇温させる手段を備えていないため、問題がある。
【先行技術文献】
【特許文献】
【０００４】
【特許文献１】特開２００４−１３７９６８号公報(図１参照)
【発明の概要】
【発明が解決しようとする課題】
【０００５】
《問題》  吸気温度が低い場合には、再生に必要な排気温度が得られない場合がある。  
吸気温度を昇温させる手段を備えていないため、吸気温度が低い場合には、再生に必要な排気温度が得られない場合がある。
【０００６】
本発明の課題は、吸気温度が低い場合でも、再生に必要な排気温度が得られるディーゼルエンジンの排気処理装置を提供することにある。
【課題を解決するための手段】
【０００７】
(請求項１に係る発明)
請求項１に係る発明の発明特定事項は、次の通りである。
図１、図２に例示するように、排気通路(１)にＤＰＦ(２７)を配置し、ＤＰＦ(２７)で排気(２)中のＰＭを捕捉し、ＤＰＦ(２７)に堆積したＰＭのＰＭ堆積推定値が所定のＤＰＦ再生要求値に至った場合には、制御手段(１１)がＤＰＦ再生手段(８)にＤＰＦ再生処理を開始させることにより、ＤＰＦ(２７)上流の排気(２)を昇温させ、この排気(２)の熱でＤＰＦ(２７)に堆積したＰＭを燃焼除去できるようにした、ディーゼルエンジンの排気処理装置において、
吸気通路(６)に吸気温度センサ(３)とエンジンで駆動するエアコンプレッサ(７)とを配置し、吸気温度センサ(３)は制御手段(１１)を介してエアコンプレッサ(７)に連携させ、
ＤＰＦ再生処理に当たり、
吸気温度が所定温度よりも低い吸気昇温要求温度領域に入っている場合には、これを吸気温度センサ(３)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにした、ことを特徴とするディーゼルエンジンの排気処理装置。
【０００８】
(請求項２に係る発明)
請求項２に係る発明の発明特定事項は、次の通りである。
図３、図４に例示するように、排気通路(１)にＤＰＦ(２７)を配置し、ＤＰＦ(２７)で排気(２)中のＰＭを捕捉し、ＤＰＦ(２７)に堆積したＰＭのＰＭ堆積推定値が所定のＤＰＦ再生要求値に至った場合には、制御手段(１１)がＤＰＦ再生手段(８)にＤＰＦ再生処理を開始させることにより、ＤＰＦ(２７)上流の排気(２)を昇温させ、この排気(２)の熱でＤＰＦ(２７)に堆積したＰＭを燃焼除去できるようにした、ディーゼルエンジンの排気処理装置において、
ＤＰＦ(２７)の上流で排気通路(１)に排気温度センサ(２８)を配置し、
ＤＰＦ再生処理に当たり、
ＤＰＦ(２７)の上流の排気温度が所定温度よりも低い排気昇温要求温度領域に入っている場合には、これを排気温度センサ(２８)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにした、ことを特徴とするディーゼルエンジンの排気処理装置。
【発明の効果】
【０００９】
(請求項１に係る発明)
請求項１に係る発明は、次の効果を奏する。
《効果》  吸気温度が低い場合でも、再生に必要な排気温度が得られる。
図１、図２に例示するように、ＤＰＦ再生処理に当たり、吸気温度が所定温度よりも低い吸気昇温要求温度領域に入っている場合には、これを吸気温度センサ(３)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにしたので、エンジンの負荷の増加によって燃料噴射量が増加されて排気(２)が昇温されると同時に、吸気(１２)が加圧昇温され、吸気温度が低い場合でも、再生に必要な排気温度が得られる。
【００１０】
(請求項２に係る発明)
請求項２に係る発明は、次の効果を奏する。
《効果》  吸気温度が低い場合でも、再生に必要な排気温度が得られる。
図２に例示するように、ＤＰＦ再生処理に当たり、ＤＰＦ(２７)の上流の排気温度が所定温度よりも低い排気昇温要求温度領域に入っている場合には、これを排気温度センサ(２８)で検出したことに基づいて、制御手段(１１)がエアコンプレッサ(７)を駆動させ、エンジンの負荷を増加させるとともに、エアコンプレッサ(７)で加圧昇温させた吸気(１２)を燃焼室(１４)に供給するようにしたので、エンジンの負荷の増加によって燃料噴射量が増加されて排気(２)が昇温されると同時に、吸気(１２)が加圧昇温され、吸気温度が低い場合でも、再生に必要な排気温度が得られる。
【図面の簡単な説明】
【００１１】
【図１】本発明の第１実施形態に係る排気処理装置を備えたディーゼルエンジンの機能ブロック図である。
【図２】図１のエンジンの制御手段によるＤＰＦ再生処理のフローチャートである。
【図３】本発明の第２実施形態に係る排気処理装置を備えたディーゼルエンジンの機能ブロック図である。
【図４】図３のエンジンの制御手段によるＤＰＦ再生処理のフローチャートである。
【発明を実施するための形態】
【００１２】
図１、図２は本発明の第１実施形態に係る排気処理装置を備えたディーゼルエンジンを説明する図であり、この実施形態では、コモンレール式ディーゼルエンジンについて説明する。
【００１３】
図１に示すように、このエンジンは、燃焼室(１４)に燃料インジェクタ(２０)が取り付けられ、この燃料インジェクタ(２０)にコモンレール(２１)が接続され、コモンレール(２１)に燃料サプライポンプ(２２)が接続され、燃料タンク(２３)の燃料が燃料サプライポンプ(２２)でコモンレール(２１)に圧送され、コモンレール(２１)で蓄圧された燃料が燃料インジェクタ(２０)から燃焼室(１４)に噴射されるようになっている。
【００１４】
エンジンの目標回転数設定手段(２４)と実回転数検出手段(２５)とは、制御手段(１１)を介して燃料インジェクタ(２０)の電磁バルブに連携させている。制御手段(１１)は、エンジンＥＣＵである。エンジンＥＣＵとは、エンジン電子制御ユニットの略称である。
エンジンの目標回転数と実回転数とに基づいて、制御手段(１１)は、燃料インジェクタ(２０)の電磁バルブの開弁時期と開弁期間とを制御し、所定のタイミングと量で燃料インジェクタ(２０)から燃料噴射を行わせる。
【００１５】
燃焼室(１４)から導出される排気通路(１)に、上流から順に、過給機(４)の排気タービン(１９)、ＤＯＣ(２６)、ＤＰＦ(２７)を配置している。排気タービン(１９)にはウェイストゲートバルブ(１９ａ)が設けられている。
【００１６】
ＤＯＣ(２６)の上流にＤＯＣ入口排気温度センサ(２８)を設け、ＤＯＣ(２６)とＤＰＦ(２７)との間にＤＰＦ入口排気温度センサ(２９)を設け、ＤＰＦ(２７)の入口と出口の差圧を検出する差圧センサ(３０)を設け、これら各センサ(２８)(２９)(３０)は制御手段(１１)に連携させている。燃焼室(１４)から導出される吸気通路(６)には吸気絞り弁(３１)を設けている。吸気絞り弁(３１)は制御手段(１１)に連携させている。
【００１７】
ＤＰＦ(２７)で排気(２)中のＰＭを捕捉し、差圧センサ(３０)で検出したＤＰＦ(２７)の入口と出口の差圧等に基づいて、制御手段(１１)はＤＰＦ(２７)に堆積したＰＭのＰＭ堆積推定値を推定する。ＰＭ堆積推定値が所定のＤＰＦ再生要求値に至った場合には、制御手段がＤＰＦ再生手段(８)にＤＰＦ(２７)の再生処理を開始させることにより、ＤＰＦ(２７)上流の排気(２)を昇温させることにより、この排気(２)の熱でＤＰＦ(２７)に堆積したＰＭを燃焼除去する。ＤＰＦ再生手段(８)は、吸気絞り弁(３１)と吸気経路切替え弁(１６)とエアコンプレッサ(７)とコモンレールシステム(１３)とＤＯＣ(２６)との組み合わせから構成されている。
【００１８】
吸気通路(６)に吸気温度センサ(３)とエンジンで駆動するエアコンプレッサ(７)とを配置し、吸気温度センサ(３)は制御手段(１１)を介してエアコンプレッサ(７)に連携させ、ＤＰＦ再生処理に当たり、吸気温度が所定温度よりも低い吸気昇温要求温度領域に入っている場合には、これを吸気温度センサ(３)で検出したことに基づいて、制御手段(１１)が、吸気絞り弁(３１)の開度を小さくし、エアコンプレッサ(７)を駆動させ、エンジンの負荷を増加させるとともに、エアコンプレッサ(７)で加圧昇温させた吸気(１２)を燃焼室(１４)に供給する。制御手段(１１)は、必要に応じ、燃料インジェクタ(２０)からメイン噴射後のアフター噴射を行わせて、排気(２)を昇温させる。
そして、ＤＯＣ入口側排気温度がＤＯＣ活性化温度に達すると、これをＤＯＣ入口排気温度センサ(２８)で検出したことに基づいて、制御手段(１１)が燃料インジェクタ(２０)からメイン噴射後のボスト噴射を行わせ、排気(２)中に未燃燃料を混入させ、この未燃燃料をＤＯＣ(２６)で触媒燃焼させ、排気(２)を昇温させ、ＤＰＦ(２７)に堆積したＰＭを焼却除去する。ＤＰＦ入口排気温度センサで検出したＤＰＦ入口排気温度に基づいて、制御手段(１１)はポスト噴射量を調節する。
吸気昇温要求温度領域は、ＤＯＣ入口側排気温度がＤＯＣ活性化温度に達しない程度の低温領域に設定されている。
【００１９】
エアクリーナ(３７)の下流で、吸気通路(６)に主通路(６ａ)とバイパス通路(６ｂ)とを設け、主通路(６ａ)とバイパス通路(６ｂ)の分岐箇所に吸気経路切替え弁(１６)を配置し、吸気経路切替え弁(１６)で吸気通路(６)を主通路(６ａ)経由とバイパス通路(６ｂ)経由とに切り替えられるようにし、バイパス通路(６ｂ)にエアコンプレッサ(７)を設けている。吸気温度センサ(３)は制御手段(１１)を介して吸気経路切替え弁(１６)とエアコンプレッサ(７)に連携させ、ＤＰＦ再生処理に当たり、吸気温度が所定温度よりも低い吸気昇温要求温度領域に入っている場合には、これを吸気温度センサ(３)で検出したことに基づいて、制御手段(１１)が吸気経路切替え弁(１６)をコンプレッサ連通側であるバイパス通路(６ｂ)連通側に切り替え、吸気通路(６)をバイパス通路(６ｂ)経由とし、エアコンプレッサ(７)を駆動させ、エンジンの負荷を増加させるとともに、エアコンプレッサ(７)で加圧昇温させた吸気(１２)を燃焼室(１４)に供給する。
【００２０】
制御手段によるＤＰＦ再生のフローチャートは次の通りである。
図２に示すように、ステップ(Ｓ１)では、ＰＭ堆積推定値がＤＰＦ再生要求値に至ったか否かが判定され、判定が否定の場合には、ステップ(Ｓ１)の判定が繰り返され、判定が肯定の場合には、ステップ(Ｓ２)に進む。
ステップ(Ｓ２)では、吸気温度が吸気昇温要求温度領域に入っているか否かが判定され、判定が肯定の場合には、ステップ(Ｓ３)に進む。ステップ(Ｓ２)での判定が否定の場合には、ステップ(Ｓ７)に進み、ステップ(Ｓ７)では、燃料インジェクタ(２０)からメイン噴射後のボスト噴射を開始する。
ステップ(Ｓ３)では、吸気絞り弁(３１)の開度を小さくし、ステップ(Ｓ４)に進み、ステップ(Ｓ４)では、吸気経路切替弁(１６)をエアコンプレッサ連通側であるバイパス通路(６ｂ)連通側に切り替え、吸気通路(６)をバイパス通路(６ｂ)経由とし、ステップ(Ｓ５)に進み、ステップ(Ｓ５)では、エアコンプレッサ(７)を駆動し、ステップ(Ｓ６)に進む。
【００２１】
ステップ(Ｓ６)では、吸気温度が吸気昇温要求温度領域を出たか否かが判定され、判定が否定の場合には、ステップ(Ｓ６)の判定が繰り返され、判定が肯定の場合には、ステップ(Ｓ７)に進む。
ステップ(Ｓ７)では、燃料インジェクタ(２０)からメイン噴射後のボスト噴射を行い、ステップ(Ｓ８)に進む。
ステップ(Ｓ８)では、ＰＭ堆積推定値がＤＰＦ再生終了値に至ったか否かが判定され、判定が否定の場合には、ステップ(Ｓ８)の判定が繰り返され、判定が肯定の場合には、ステップ(Ｓ９)でボスト噴射を終了する。
【００２２】
図３、図４に示す第２実施形態は、第１実施形態と次の点が相違する。
この第２実施形態には、吸気温度センサ(３)がなく、ＤＰＦ再生処理に当たり、ＤＰＦ(２７)の上流の排気温度が所定温度よりも低い排気昇温要求温度領域に入っている場合には、これを排気温度センサ(２８)で検出したことに基づいて、制御手段(１１)が吸気経路切替え弁(１６)をコンプレッサ連通側であるバイパス通路(６ｂ)連通側に切り替え、吸気通路(６)をバイパス通路(６ｂ)経由とし、エアコンプレッサ(７)を駆動させ、エンジンの負荷を増加させるとともに、エアコンプレッサ(７)で加圧昇温させた吸気(１２)を燃焼室(１４)に供給するようにしている。
この第２実施形態の制御手段によるＤＰＦ再生処理では、ステップ(Ｓ２)ではＤＯＣの上流排気温度が排気昇温要求温度領域に入っているか否かが判定され、ステップ(Ｓ６)ではＤＯＣの上流排気温度が排気昇温要求温度領域から出たか否かが判定される。
他の構成やフローチャートの他のステップは、第１実施形態と同じであり、図３、図４中、第１実施形態と同一の要素には同一の符号を付しておく。
【符号の説明】
【００２３】
(１) 排気通路
(２) 排気
(３) 吸気温度センサ
(６) 吸気通路
(７) エアコンプレッサ
(８) ＤＰＦ再生手段
(１１) 制御手段
(１２) 吸気
(１４) 燃焼室
(２７) ＤＰＦ
【図１】
2011069278.tif 000003
【図２】
2011069278.tif 000004
【図３】
2011069278.tif 000005
【図４】
2011069278.tif 000006